(57)【特許請求の範囲】
【請求項１】
上面が平面な天板部と、
前記天板部の下面に設けられ、天板部のいずれかの辺に平行に、互いに対称配置され、心棒によって懸架される複数の溝部、前記溝部に平行な切り欠き部、及び複数のビス穴を備える本体部と、を備え、
裏面同士を合わせて２枚合わせされ、複数の支柱に支持される床パネル。
【請求項２】
金属によって形成され、前記天板部と同形状をなし、前記ビス穴と対応する部分にビス穴を有する補強板と、
前記天板部と同形状をなし、前記ビス穴と対応する部分にビス穴を有し、前記補強板の上面に載置される化粧プレートと、
前記床パネル、前記補強板、及び化粧プレートを締結するビスと、
をさらに備える請求項１記載の床パネル。
【請求項３】
上面が平面な天板部と、前記天板部の下面に設けられ、天板部のいずれかの辺に平行に、互いに対称配置される複数の溝部、前記溝部に平行な切り欠き部、及び複数のビス穴を備える本体部と、を備える床パネルの裏面同士を合わせた２枚合わせの床パネルと、
前記２枚合わせの床パネルを支持する複数の支柱と、
前記２枚合わせの床パネルの前記溝部が形成する貫通孔に挿通され、前記２枚合わせの床パネルを懸架する心棒と、
を備える床パネルを用いた床。
【発明の詳細な説明】
【技術分野】
【０００１】
本発明の実施形態は、床パネル及び床パネルを用いた床に関する。
【背景技術】
【０００２】
いわゆるＯＡフロアなどの床パネルは、スラブ床状に４本の支柱を立て、この４本の支柱によって１枚の床パネルを載せるように形成される。
【０００３】
この床パネルは耐荷重が数十ｋｇごとに決められている。例えば、耐荷重が２００ｋｇの床パネルの次に強い床パネルは耐荷重が２５０ｋｇであり、その中間は販売されていない。
【０００４】
従って、その中間の耐荷重があれば十分な場合でも、高価な高耐荷重の床パネルを購入しなければならない。
【０００５】
また、床パネル１枚につき４本の支柱が必要であるため、スラブ床上に障害物があると床パネルは設置できない。
【先行技術文献】
【特許文献】
【０００６】
【特許文献１】特開２０１０−２７０５６８号公報
【発明の概要】
【発明が解決しようとする課題】
【０００７】
従って、耐荷重を細かく調整でき、スラブ床上に障害物があっても設置できる床パネル及び床パネルを用いた床が求められている。
【課題を解決するための手段】
【０００８】
上記の課題を解決するために、本発明の一実施形態は、上面が平面な天板部と、天板部の下面に設けられ、天板部のいずれかの辺に平行に、互いに対称配置され、心棒によって懸架される複数の溝部、溝部に平行な切り欠き部、及び複数のビス穴を備える本体部と、を備え、裏面同士を合わせて２枚合わせされ、複数の支柱に支持される床パネルを提供する。
【図面の簡単な説明】
【０００９】
【図１】床パネルの底面斜視図である。
【図２】床パネルの側面図である。
【図３】床パネルの強度補強方法を示す図である。
【図４】床パネルの他の補強方法を示す図である。
【図５】スラブ床状に障害物がある場合の対処方法を示す図である。
【図６】支柱によって支持される床パネルの側面図である。
【図７】床パネルを用いた床の斜視図である。
【発明を実施するための形態】
【００１０】
以下、床パネルの一実施形態について、図面を用いて詳細に説明する。
【００１１】
本実施形態の床パネルは、上面が平面な天板部と、天板部の下面に設けられ、天板部のいずれかの辺に平行に、互いに対称配置される複数の溝部、溝部に平行な切り欠き部、及び複数のビス穴を備える本体部と、を備える。
【００１２】
本実施形態の床パネルを用いた床は、上面が平面な天板部と、天板部の下面に設けられ、天板部のいずれかの辺に平行に、互いに対称配置される複数の溝部、溝部に平行な切り欠き部、及び複数のビス穴を備える本体部と、を備える床パネルの裏面同士を合わせた２枚合わせの床パネルと、２枚合わせの床パネルを支持する複数の支柱と、２枚合わせの床パネルの溝部が形成する貫通孔に挿通され、２枚合わせの床パネルを懸架する心棒と、を備える。
【００１３】
図１は、本実施形態の床パネル１の底面斜視図である。図２は、床パネル１の側面図である。
【００１４】
図１に示すように、床パネル１は、上面が平面な天板部１１と、天板部１１の下面に設けられ、天板部のいずれかの辺に平行な複数の溝部１３、この溝部１３に平行な切り欠き部１６、及び複数のビス穴１５を備える本体部１２と、を備える。
【００１５】
天板部の形状は、正方形又は長方形が望ましいが、これらに限られるものではない。
【００１６】
溝部１３は本体部の一方の辺からこの辺に対向する辺まで続く。複数の溝部１３は、床パネル１の裏面同士を合わせたときに、一方の床パネル１の溝部１３と、他方の床パネル１の溝部１３とは一つの貫通孔を形成する位置に設けられる。すなわち、複数の溝部１３は本体部１２に互いに対称配置される。
【００１７】
切り欠き部１６は、本体部１２の各辺に沿って設けられる。従って、床パネル１の裏面同士を合わせて２枚合わせにし、この２枚合わせにした床パネル１の側面を合わせると、切り欠き部１６は一つの貫通孔を形成する。
【００１８】
ビス穴１５は、天板部１１の４隅に設けられ、天板部１１から本体部１２までを貫通する。
【００１９】
図２に示すように、溝部１３の数は２以上であれば数は問わない。図２には、溝部１３が２つ備える床パネル１を示してある。
【００２０】
図３は、床パネル１の強度補強方法を示す図である。図３に示すように、床パネル１と、床パネルの上面を覆う化粧プレート２１と、床パネル１との間に補強板３１が挟み込まれ、ビス１７によって化粧プレート２１、補強板３１、及び床パネルがとも締めされる。
【００２１】
化粧プレート２１は、床の表面を覆う樹脂又は木によって形成されるプレートであり、表面に装飾模様が施されていてもよい。化粧プレート２１は天板部１１のビス穴１５と対応する部分にビス穴３２を有する。
【００２２】
補強板３１は、金属によって形成され、耐荷重が例えば１０ｋｇである。補強板３１は天板部１１のビス穴１５と対応する部分にビス穴３２を有する
化粧プレート２１と補強プレート３１と床パネルの上面の形状は同一であることが望ましい。
【００２３】
図３に示すように、補強プレート３１を化粧プレート２１及び床パネル１に挟み込むことにより、補強プレート３１の耐荷重分だけ耐荷重を微調整することができる。
【００２４】
図４は、床パネル１の他の補強方法を示す図である。図４に示すように、床パネル１は２枚併せにし、化粧プレート２１とともにビス１７によってとも締めされることによりさらに耐荷重を増すことが可能となる。
【００２５】
図５乃至図７は、スラブ床状に障害物がある場合の対処方法を示す図である。図５に示すように、床パネル１は底面同士を併せてビス１７により締結される。締結された２枚の床パネル１の溝部１３は一つの貫通孔を形成する。この貫通孔に心棒４０が挿通される。
【００２６】
図６は、支柱５０によって支持される床パネル１の側面図である。図６に示すように、スラブ床６０上に支柱が接地され、２枚合わせにされた床パネル１はビス１７によって支柱に係止される。
【００２７】
障害物７０のある場所には支柱は置くことができない。この部分は、床パネル１が２枚合わせにビス１７によって締結される。
【００２８】
図７は、床パネル１を用いた床１００の斜視図である。図７に示すように、床パネル１を用いた床１００は、２枚合わせにされた床パネル１と、この２枚合わせにされた床パネル１を支持する複数の支柱５０と、この２枚合わせにされた床パネル１の溝部１３が形成する貫通孔に挿通され、この２枚合わせにされた床パネル１を懸架する心棒４０と、を備える。
【００２９】
障害物７０のある部分は、支柱５０を設けず、心棒４０によって床パネル１を懸架、すなわち空中に支持する。
【００３０】
支柱５０は、一端が支柱５０に係止され、他端がスラブ床６０に固定される添え材５１を有していてもよい。
【００３１】
以上述べたように、本実施形態の床パネル１は、上面が平面な天板部１１と、天板部１１の下面に設けられ、天板部のいずれかの辺に平行に、互いに対称配置される複数の溝部１３、この溝部１３に平行な切り欠き部１６、及び複数のビス穴１５を備える本体部１２と、を備える。
【００３２】
従って、床パネル１は２枚合わせにして、貫通孔に挿通される心棒４０によって懸架されることにより障害物７０があっても床パネル１を用いた床１００を構成することができるという効果がある。
【００３３】
また、補強パネル３１を用いることにより、耐荷重を微調整することが可能となるという効果がある。
【００３４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３５】
１：床パネル
１３：溝部
１６：切り欠き部
４０：心棒
５０：支柱
【図１】
0005564480.tif 000002
【図２】
0005564480.tif 000003
【図３】
0005564480.tif 000004
【図４】
0005564480.tif 000005
【図５】
0005564480.tif 000006
【図６】
0005564480.tif 000007
【図７】
0005564480.tif 000008